(57)【要約】【課題】経年による家電機器の変化に伴いエネルギーを節減するための提案をする。【解決手段】サービス提供システムは、サービス提供サーバ及び表示装置を備え、前記サービス提供サーバは、機器が消費した消費電力量を示す消費電力量データを受信する通信部と、前記消費電力量データに基づいて、前記機器のメンテナンス情報を生成し、前記通信部が前記メンテナンス情報を前記表示装置に送信するよう制御する制御部と、を含み、前記表示装置は、前記メンテナンス情報を前記サービス提供サーバから取得する取得部と、前記取得部によって取得された前記メンテナンス情報を表示する表示部と、を含む。【選択図】図１
2018116548.tif 000002
【特許請求の範囲】
【請求項１】
サービス提供サーバ及び表示装置を備えるサービス提供システムであって、
前記サービス提供サーバは、
機器が消費した消費電力量を示す消費電力量データを受信する通信部と、
前記消費電力量データに基づいて、前記機器のメンテナンス情報を生成し、前記通信部が前記メンテナンス情報を前記表示装置に送信するよう制御する制御部と、を含み、
前記表示装置は、
前記メンテナンス情報を前記サービス提供サーバから取得する取得部と、
前記取得部によって取得された前記メンテナンス情報を表示する表示部と、を含むことを特徴とするサービス提供システム。
【請求項２】
前記制御部は、前記消費電力量データが示す、前記機器の設置年における所定期間の第１の消費電力量と、前記機器の直近の前記所定期間の第２の消費電力量とに基づいて前記メンテナンス情報を生成することを特徴とする請求項１に記載のサービス提供システム。
【請求項３】
前記制御部は、前記第１の消費電力量に対する前記第２の消費電力量の増加率が増加率閾値以上である場合に、前記通信部が前記メンテナンス情報を前記表示装置に送信するよう制御することを特徴とする請求項１又は２に記載のサービス提供システム。
【請求項４】
前記増加率閾値は１０％であることを特徴とする請求項３に記載のサービス提供システム。
【請求項５】
前記制御部は、前記機器の設置年数に基づいて前記メンテナンス情報の内容を決定することを特徴とする請求項１から４のいずれか一項に記載のサービス提供システム。
【請求項６】
前記通信部は、前記機器の設定温度及び環境温度を示す温度データを受信し、
前記制御部は、前記設定温度及び前記環境温度に基づいて、前記メンテナンス情報を生成することを特徴とする請求項１から５のいずれか一項に記載のサービス提供システム。
【請求項７】
前記消費電力量は、分電盤が電力を分配する複数の分岐回路のうち、前記機器のみに電力を供給する分岐回路から検出された電力量であることを特徴とする請求項１から６のいずれか一項に記載のサービス提供システム。
【請求項８】
機器が消費した電力量を示す消費電力量データに基づいて生成された、前記機器のメンテナンス情報を取得する取得部と、
前記取得部によって取得された前記メンテナンス情報を表示する表示部と、
を備える表示装置。
【請求項９】
機器が消費した電力量を示す消費電力量データを送信するホームエネルギーマネジメントシステムと、
前記消費電力量データに基づいて生成されたメンテナンス情報を取得する取得部と、前記取得部によって取得された前記メンテナンス情報を表示する表示部とを含む表示装置と、
を備える住宅。
【請求項１０】
ルーター機能を有する機器を用いた場合に、ルーター機能を有する機器によりＩＰアドレスを割り振られたローカルエリアネットワークを構成することが可能な請求項９に記載の住宅。
【発明の詳細な説明】
【技術分野】
【０００１】
本発明は、サービス提供システム、表示装置、及び住宅に関する。
【背景技術】
【０００２】
近年、住宅内の家電機器で消費される電力量を管理したり、家電機器を制御したりするホームエネルギーマネジメントシステム（ＨＥＭＳ：Home Energy Management System）が知られている。例えば、特許文献１には、ＨＥＭＳが、設定温度及び目標温度に基づいて空調装置を予冷運転又は予暖運転させることによってエネルギーを節減する空気調和システムが記載されている。
【先行技術文献】
【特許文献】
【０００３】
【特許文献１】国際公開第２０１３／１７２２７９号
【発明の概要】
【発明が解決しようとする課題】
【０００４】
しかし、特許文献１においては、エネルギーを節減するために空調装置を制御する方法が記載されているものの、経年による空調装置の汚れ、性能低下等によってエネルギー消費量が上昇するのを回避することはできない。
【０００５】
したがって、かかる点に鑑みてなされた本発明の目的は、経年による家電機器の変化に伴いエネルギーを節減するための提案をすることができるサービス提供システム、表示装置、及び住宅を提供することにある。
【課題を解決するための手段】
【０００６】
本発明の一態様としてのサービス提供システムは、サービス提供サーバ及び表示装置を備えるサービス提供システムであって、前記サービス提供サーバは、機器が消費した消費電力量を示す消費電力量データを受信する通信部と、前記消費電力量データに基づいて、前記機器のメンテナンス情報を生成し、前記通信部が前記メンテナンス情報を前記表示装置に送信するよう制御する制御部と、を備え、前記表示装置は、前記メンテナンス情報を前記サービス提供サーバから取得する取得部と、前記取得部によって取得された前記メンテナンス情報を表示する表示部と、を含むものである。
【０００７】
本発明の１つの実施形態として、前記制御部は、前記消費電力量データが示す、前記機器の設置年における所定期間の第１の消費電力量と、前記機器の直近の前記所定期間の第２の消費電力量とに基づいて前記メンテナンス情報を生成することが好ましい。
【０００８】
本発明の１つの実施形態として、前記制御部は、前記第１の消費電力量に対する前記第２の消費電力量の増加率が増加率閾値以上である場合に、前記通信部が前記メンテナンス情報を前記表示装置に送信するよう制御することが好ましい。
【０００９】
本発明の１つの実施形態として、前記増加率閾値は１０％であることが好ましい。
【００１０】
本発明の１つの実施形態として、前記制御部は、前記機器の設置年数に基づいて前記メンテナンス情報の内容を決定することが好ましい。
【００１１】
本発明の１つの実施形態として、前記通信部は、前記機器の設定温度及び環境温度を示す温度データを受信し、前記制御部は、前記設定温度及び前記環境温度に基づいて、前記メンテナンス情報を生成することが好ましい。
【００１２】
本発明の１つの実施形態として、前記消費電力量は、分電盤が電力を分配する複数の分岐回路のうち、前記機器のみに電力を供給する分岐回路から検出された電力量であることが好ましい。
【００１３】
本発明の一態様としての表示装置は、機器が消費した電力量を示す消費電力量データに基づいて生成された、前記機器のメンテナンス情報を取得する取得部と、前記取得部によって取得された前記メンテナンス情報を表示する表示部と、を備えるものである。
【００１４】
本発明の一態様としての住宅は、機器が消費した電力量を示す消費電力量データを送信するホームエネルギーマネジメントシステムと、前記消費電力量データに基づいて生成されたメンテナンス情報を取得部と、前記取得部によって取得された前記メンテナンス情報を表示する表示部とを含む表示装置と、を備えるものである。
【００１５】
本発明の１つの実施形態として、ルーター機能を有する機器を用いた場合に、ルーター機能を有する機器によりＩＰアドレスを割り振られたローカルエリアネットワークを構成することが可能であることが好ましい。
【発明の効果】
【００１６】
本発明によれば、経年による家電機器の変化に伴いエネルギーを節減するための提案をすることができる。
【図面の簡単な説明】
【００１７】
【図１】本実施形態に係る住宅サービス提供システムの概略構成図である。
【図２】図１に記載の設備の配置を示す住宅の間取り図の例である。
【図３】ネットワーク機器収容部内の設備の配置の例を示す図である。
【図４】図１に記載の表示装置の画面の例を示す図である。
【図５】図１に記載の住宅サービス提供システムでの情報及びサービスの流れを示す概念図である。
【発明を実施するための形態】
【００１８】
以下、本発明の実施形態について図面を参照して説明する。
【００１９】
まず、図１を参照して本実施形態の全体構成について説明する。図１は本発明の一実施形態に係る住宅サービス提供システムの概略構成図である。
【００２０】
図１に示すように、住宅サービス提供システムは、電気事業者２が提供する電気事業者サーバ２１と、住宅１と、サービス提供会社３の有するサービス提供サーバ３１とを備え、住宅１の有するスマートメーター１０、及びサービス提供サーバ３１は通信ネットワークを介して接続されている。なお、サービス提供会社３とは、住宅１に関する様々なサービスを直接的又は間接的に提供する会社であり、住宅１そのものを提供する会社であってもよい。
【００２１】
電気事業者２は、住宅１に電力を供給するとともに、住宅１に設置するスマートメーター１０から情報を受信する電気事業者サーバ２１を備える。
【００２２】
住宅１は、スマートメーター１０、集線装置１１、通信機器収容部１２、Ｂルート受信可能装置１３、分電盤１４、分電盤計測ユニット１５、発電・蓄電機器１６、発電・蓄電制御ユニット１７、家電・情報機器１８、及びＨＥＭＳ１９を備える。
【００２３】
住宅１は、住宅１内にルーター機能を有する機器を用いた場合に、ＩＰアドレスが割り振られたＬＡＮ（ローカルエリアネットワーク）を構成することが可能であり、構成されたＬＡＮによってＨＥＭＳ１９が集線装置１１を介して、Ｂルート受信可能装置１３、分電盤計測ユニット１５、発電・蓄電制御ユニット１７、及び家電・情報機器１８と情報を送受信する。
【００２４】
スマートメーター１０は、図２に示すように住宅１の屋外であって、住宅１に係る敷地内に設置される。スマートメーター１０は、電気事業者２によって供給された電力量を測定し、電力量、課金情報等を含む電力データを生成する。また、スマートメーター１０は、Ａルートの通信ネットワークを用いて電力データを遠隔地にある電気事業者２の備える電気事業者サーバ２１に送信する。電気事業者２の電気事業者サーバ２１に電力データを送信するために用いられる通信ネットワークは、有線通信方式を用いても無線通信方式を用いてもよい。なお、スマートメーター１０は、将来的には電力小売り自由化の一環である発送電分離政策により送配電事業者の所有物となる可能性もある。
【００２５】
また、スマートメーター１０は、Ｂルートの通信ネットワークを用いて住宅１内のＢルート受信可能装置１３に電力データを送信する。このようにＢルート受信可能装置１３に電力データを送信するために用いられる通信ネットワークは、有線通信方式を用いても無線通信方式を用いてもよい。以降において、スマートメーター１０からＢルート受信可能装置１３に送信された電力データをＢルート電力データという。
【００２６】
スマートメーター１０は、住宅１の外側に設置される。スマートメーター１０を住宅１の外側に設置することによって、電気事業者等の検針員がスマートメーター１０によって測定された電力量についての目視による検針を行う場合、住宅１の住人の許可を得る工程を省くことができ、また、住宅１の住人が不在である場合に検針のために出直す等の不要な手間を削減することができ、電気事業者等の検針員による検針業務の効率化に寄与することができる。
【００２７】
なお、スマートメーター１０は住宅１の外壁面に接するように取り付けられることがより好ましい。これによって、住宅１が建築されている敷地における、住宅１以外のスペースを有効に活用することができる。さらに、スマートメーター１０を住宅１の外壁面に接するように取り付ける場合、道路に面している外壁面、又は該外壁面に対して概ね直交している外壁面に取付けることが好ましい。道路から訪問する電気事業者等の検針員にとって、目視にて電力量についての検針を行う場合、スマートメーター１０を目視しやすいからである。また、比較的大きな敷地に建築された住宅１においては、スマートメーター１０は住宅１の外側にある住宅１とは別の構造物、例えば、門、車庫等に取り付けられてもよい。
【００２８】
集線装置１１は、ハブ及び無線ネットワーク基地局のうちの１つ以上であり、Ｂルート受信可能装置１３、分電盤計測ユニット１５、発電・蓄電制御ユニット１７、家電・情報機器１８、及びＨＥＭＳ１９が情報を送受信するために、これらの機器等に直接、又は間接的に接続される通信ケーブル１１１を集線する。集線装置１１は、電気信号を受信して、受信した電気信号を送信することによってＬＡＮによる通信ネットワークを構成する。本実施形態において、集線装置１１は有線ハブである。住宅１内といったある程度、情報通信機器の移動が限られた環境では、移動についての利点を有する無線ハブよりも、通信の安定性が高いという利点を有する有線ハブを用いることが好ましい。また、集線装置１１は、イーサネット（登録商標）の規格に対応している。
【００２９】
また、図３に示すように、集線装置１１は、電源ケーブル１１２を介してコンセント等の電源供給手段１１３に接続されることによって供給された電力によって動作する。電源供給手段１１３のうち少なくとも１つは壁内から引き込まれている。
【００３０】
通信機器収容部１２は、図３に示すように、例えば、住宅１内の同一の空間によって形成され、住宅１で用いられる１つ以上の集線装置１１、通信ケーブル１１１、電源ケーブル１１２、及び電源供給手段１１３を該空間に収容する。集線装置１１は、電源ケーブル１１２を介して電源供給手段１１３から電力を供給される必要がある。そのため、住宅１内の通信機器収容部１２内にこれらを配置することによって、集線装置１１、通信ケーブル１１１、電源供給手段１１３等が住宅１内に散在して配線が煩雑になるのを避けることができる。また、これらをまとめて配置することによって施工における効率を向上させ、そのため配置作業に係るコストを低くすることができる。
【００３１】
また、通信機器収容部１２は、住宅１の壁に壁内に埋没するように設けられてもよいし、住宅１の壁面に接触するようにして設けられてもよい。また、通信機器収容部１２は、住宅１の住人にとって日常生活で通ったり入ったりする頻度の低いデッドスペースに設けられるのが好ましく、この場合デッドスペースを有効活用することができる。通信機器収容部１２は、任意の場所に設けることができ、例えば、図２に示すように、２Ｆの壁内に設けられてもよい。Ｂルート受信可能装置１３との通信の安定性を高くするためには、通信機器収容部１２は、Ｂルート受信可能装置１３の近傍に設けられるのが好ましい。
【００３２】
また、通信機器収容部１２は、収容する上記の機器等の出し入れをしないときに、住宅１内の人物によってその内部を視認することができないようにボックス状のカバーによって覆われていることが好ましい。これによって住宅１の内観についての美観を維持することができる。また、通信機器収容部１２を浴室の脱衣所の壁等に設置する場合、湿気等から機器を保護することができる。
【００３３】
また、通信機器収容部１２が形成する空間は、集線装置１１に接続される通信ケーブル１１１、電源ケーブル１１２を住宅１内の他の空間へ通すための配線路への開口を有する。なお、該配線路は、ボックス状のカバーを開けない限り、住人が通常、存在するスペースからは視認することができない箇所に設けられる。
【００３４】
通信機器収容部１２には、アンテナケーブル１２１、及び電話配線１２２が、通信機器収容部１２が形成する空間を仕切る壁を通って引き込まれる。また、通信機器収容部１２には、テレビ放送信号用分配器１２３、テレビ信号増幅装置（ブースター）１２４、及び電話端子板１２５が配置される。
【００３５】
アンテナケーブル１２１はテレビ放送用信号を伝送する。テレビ信号増幅装置１２４は、アンテナケーブル１２１に接続されて、テレビ放送用信号を受信する。また、テレビ信号増幅装置１２４は、受信したテレビ放送用信号を増幅してテレビ放送信号用分配器１２３に出力する。また、テレビ放送信号用分配器１２３は、テレビ端子向けケーブル１２６に接続され、住宅１内の任意の１つ以上の部屋に設けられたテレビ端子に対してテレビ放送用信号を送信する。
【００３６】
電話配線１２２は、電話用信号を伝送する。電話端子板１２５は、電話配線１２２に接続されて電話用信号を受信する。また、電話端子板１２５は、電話向けケーブル２２７に接続され、住宅１内の任意の１つ以上の部屋に設けられた電話端子に対して電話用信号を送信する。なお、電話配線１２２には、ケーブルテレビ回線、光回線等の、電話を用いて通話を行うための任意の回線が含まれる。
【００３７】
このように、各部屋に向けて配線されるケーブル等は通信機器収容部１２である同一の空間内に集められることによって、配線施工が容易でコストを抑えることができる。また、住宅１内での配線が煩雑にならないため施工不良も発生しにくい。
【００３８】
Ｂルート受信可能装置１３は、スマートメーター１０から情報を受信し、集線装置１１を介してＨＥＭＳ１９へ送信したり、ＨＥＭＳ１９から出力された情報をスマートメーター１０に送信したりする。なお、Ｂルート受信可能装置１３は、ＨＥＭＳ１９に内蔵されてもよいし、ＨＥＭＳ１９とは別体の機器であってもよい。Ｂルート受信可能装置１３が、ＨＥＭＳ１９と別体の機器である場合、ドングルとしてＨＥＭＳ１９に挿入される。また、Ｂルート受信可能装置１３は、有線又は無線による通信ネットワークを介して集線装置１１に直接的又は間接的に接続される。これにより、Ｂルート受信可能装置１３は、集線装置１１を介して容易にＬＡＮ、ひいてはインターネットに接続することができる。また、Ｂルート受信可能装置１３が有線による通信ネットワークを介して情報を送受信する場合、該通信値ネットワークはイーサネット（登録商標）規格によるものであることがよい。これにより、無線による通信ネットワークを用いる場合に比べて、電波障害等により通信が不安定となるのを防ぐことができる。
【００３９】
Ｂルート受信可能装置１３は、スマートメーター１０の位置に基づいて住宅１の屋内に設置される。具体的には、スマートメーター１０が設置されている、住宅１の外壁に対応して設けられている内壁によって囲まれる空間に設置される。また、Ｂルート受信可能装置１３は、Ｎ階建の住宅１においては１階以上でＮ階未満のフロアに設置されるのがよい。上述のように、スマートメーター１０は、電気事業者等によって目視されるため１階に設置されるのが通常であり、このため、下方のフロアであるほど、スマートメーター１０との通信が安定する。そのため、Ｂルート受信可能装置１３は、図３に示すように住宅１の１階のフロアの床面と天井面との間に設置されるのが最も好ましい。なお、通常、住宅１においては玄関付近にデッドスペースが存在する場合が多く、該デッドスペースを活用するためには、Ｂルート受信可能装置１３は、住宅１の玄関、又は玄関に隣接している土間収納部に設置されるのがよい。
【００４０】
また、Ｂルート受信可能装置１３は、スマートメーター１０との間に金属板、金属メッシュ等の電波を遮蔽する電磁遮蔽部材が位置しないように配置されるのがよい。これにより、Ｂルート受信可能装置１３とスマートメーター１０との間で情報を送受信するための、無線で形成される通信ネットワークにおいて電磁遮蔽部材によって通信が不安定となるのを防ぐことができる。
【００４１】
また、Ｂルート受信可能装置１３は、有線方式又は無線方式の通信ネットワークによって、直接的又は間接的に集線装置１１に接続され、集線装置１１を介してＨＥＭＳ１９と情報を送受信する。なお、有線方式の通信ネットワークを用いる場合、該通信ネットワークはイーサネット（登録商標）により構成され、Ｂルート受信可能装置１３及び集線装置１１を接続するためのケーブルの少なくとも一部は壁内に配線される。
【００４２】
Ｂルート受信可能装置１３は、集線装置１１との情報の送受信の安定性の観点から、集線装置１１を収容している通信機器収容部１２の近傍に配置されるのが好ましい。さらには、Ｂルート受信可能装置１３は、通信機器収容部１２に収容され、カバーにより覆われてもよい。これにより、住宅１内の住人によって、Ｂルート受信可能装置１３は視認されず、住宅１内の美観を維持することができる。
【００４３】
ただし、図２に示す例のように、通信機器収容部１２が２階以上のフロアに設けられている場合、Ｂルート受信可能装置１３は通信機器収容部１２が設けられているフロアより下階に配置されてもよい。Ｂルート受信可能装置１３におけるスマートメーター１０との通信の安定化及び集線装置１１との通信の安定化を考慮して適宜、その配置を決定することができる。
【００４４】
分電盤１４は、電気事業者２から供給される主幹電力を受電し、受電した電力を２０以上の分岐回路に分配する。それぞれの分岐回路は、住宅１内に設置されたコンセント、照明器具等に接続され、分岐回路によって分岐された電力がこれらのコンセント、照明器具等に供給される。また、２０以上の分岐回路のうちのひとつの分岐回路係る電力はエアーコンディショナー（以下、エアコンという）のみに供給される。また、分電盤１４は、アンペアブレーカー、漏電遮断機、配線遮断器等を備える。
【００４５】
分電盤計測ユニット１５は、センサー部１５１及び送信部１５２を備える。分電盤計測ユニット１５は、分電盤１４の内部に配置されてもよいし、分電盤１４の近傍に配置されてもよい。なお、分電盤計測ユニット１５が分電盤１４の内部に配置される場合、住宅１内の人物から通常は視認されないため美観の点では優れている。そのため、住宅１を新規に建築する場合には、この点を考慮して分電盤計測ユニット１５を内部に配置するよう分電盤１４が設けられる。
【００４６】
センサー部１５１は、分電盤１４から住宅１で消費された消費電力量、及び発電・蓄電機器１６によって発電された発電力量を測定する。センサー部１５１は、分電盤１４におけるそれぞれの分岐回路に係る電線の磁力変化に基づいて電流を計測するＣＴ（Current Transformer）センサーを含み、ＣＴセンサーによって測定された電流に基づいて電力量を測定する。上述のように分電盤１４は、電力を２０以上の分岐回路に分配し、それぞれについて電力量を測定するため、多くの情報を取得することができ、これらの情報に基づいて綿密なエネルギーマネジメントを行うことが可能となる。
【００４７】
送信部１５２は、センサー部１５１によって測定された電力量を表す分電盤電力データを、集線装置１１を介してＨＥＭＳ１９に送信する。また、ＨＥＭＳ１９に送信された分電盤データは、インターネット等の通信ネットワークを介して、例えば、サービス提供サーバ３１のような、外部のサーバ又はサーバ群に送信される。このとき、送信部１５２から集線装置１１までの分電盤電力データの送信には、周波数帯域が略９５０ＭＨｚ、２．５ＧＨｚ、５ＧＨｚである無線方式の通信ネットワークが用いられる。周波数帯域を略９５０ＭＨｚとすることによってＷｉＦｉ（登録商標）による通信に対応することができ、周波数帯域を略９５０ＭＨｚとすることによってＷｉ−ＳＵＮ（登録商標）による通信に対応することができる。送信部１５２から集線装置１１までの分電盤電力データの送信には、イーサネット（登録商標）による有線方式の通信ネットワークが用いられてもよく、この場合、送信部１５２と集線装置１１との間を接続するケーブルの少なくとも一部は住宅１の壁内に、住人からは視認できないようにして配線される。これによって、通信の安定性を維持しつつ、美観を保つことができる。また、送信部１５２は、集線装置１１を介さずに、直接、ＨＥＭＳ１９に接続されてもよい。
【００４８】
発電・蓄電機器１６は、発電部１６１及び蓄電部１６２を備える。発電部１６１は、太陽光（Photovoltaics（ＰＶ））及び燃料電池のうちの少なくとも１つによって電力を発生させる。蓄電部１６２は、発電部１６１によって発生した電力を蓄積する。
【００４９】
発電・蓄電制御ユニット１７は、制御部１７１及び送信部１７２を備える。制御部１７１は、発電部１６１によって発電された電力量、及び蓄電部１６２によって蓄電されている電力量を表す発電・蓄電データを取得し、発電・蓄電データに基づいて発電部１６１に発生させる電力量を制御する。制御部１７１は、発電・蓄電機器１６の発電部１６１、又は発電された電力を変換するパワーコンディショナー（不図示）に接続して電力量を計測する。このようにすることによって、ＣＴセンサーを介さずに電力量を取得することができ、ＰＶ及び燃料電池による発電を抑制することが可能となる。
【００５０】
また、制御部１７１が発電部１６１、又はパワーコンディショナーに接続するには、例えばＲＳ４８５といったシリアル通信を用いればよく、その少なくとも一部をイーサネット（登録商標）によるネットワークとしても、ＷｉＦｉ、Ｗｉ−ＳＵＮ等の無線によるネットワークとしてもよい。また、イーサネット（登録商標）によるネットワークである場合、通信ケーブル１１１は壁内に配線されることが美観の点からも電波障害を防ぐという点からも好ましい。
【００５１】
また、送信部１７２は、制御部１７１によって取得した発電・蓄電データを、集線装置１１を介して、ＨＥＭＳ１９に送信する。
【００５２】
家電・情報機器１８は、ECHONET Liteの通信規格に対応しており、集線装置１１を介してＨＥＭＳ１９に接続される。また、家電・情報機器１８は、家電・情報機器１８の状態、使用期間等を表す使用状況データをＨＥＭＳ１９に送信したり、使用状況データに基づいてＨＥＭＳ１９から制御されたりする。また、家電・情報機器１８は、集線装置１１にイーサネット（登録商標）による通信ネットワークを介して直接的に接続されてもよいし、間接的に接続されてもよい。また、家電・情報機器１８と、集線装置１１とを接続するための通信ネットワークのケーブルは住宅１の壁内に配線される。住人によって視認されることがなく、美観の点において優れている。
【００５３】
家電・情報機器１８の例としては、冷房機器、暖房機器、電動シャッター、電気錠、給湯器、床暖房等が含まれる。また、家電・情報機器１８の例としては、住宅１の内部で用いられるコンピュータ、スマートフォン、任意の情報システムの専用端末等の情報通信機器も含まれる。また、住宅１を介して電気自動車の充電装置に電力が供給される場合には、使用状況データに電気自動車の状態、使用期間等を含んでもよい。
【００５４】
ＨＥＭＳ１９は、スマートメーター１０から送信されたＢルート電力データ、分電盤計測ユニット１５の送信部１５２から送信された分電盤電力データ、発電・蓄電制御ユニット１７から送信された発電・蓄電データ等を管理する。上述のようにＨＥＭＳ１９は、スマートメーター１０、分電盤計測ユニット１５、発電・蓄電機器１６、及び家電・情報機器１８それぞれと情報を送受信するために、イーサネット（登録商標）による通信ネットワークのインターフェースを有する。さらに、ＨＥＭＳ１９は、インターネット等の外部の通信回線を介して、Ｂルート電力データ、分電盤電力データ、発電・蓄電データ、及び使用状況データを含む住宅電力データをサービス提供会社３のサービス提供サーバ３１に送信する。
【００５５】
ＨＥＭＳ１９は、スマートメーター１０、分電盤計測ユニット１５、発電・蓄電制御ユニット１７、及び家電・情報機器１８とともに形成するＬＡＮのルーターとなることが可能であるように、ルーター機能を有する。そのため、通信ケーブル１１１で接続された機器等にルーターが含まれない場合、ＨＥＭＳ１９はルーター機能を有効にしてルータ（ＬＡＮの親）としても機能する。また、通信ケーブル１１１で接続され機器等にルーターが含まれる場合、ＨＥＭＳ１９はルーター機能を無効にしてノード（ＬＡＮの子）として機能する。
【００５６】
ＨＥＭＳ１９は、通信機器収容部１２の近傍、例えば、通信機器収容部１２を埋設する壁と同一又は隣接している壁の内部に配置されるのが好ましい。これによってＨＥＭＳ１９と集線装置１１との間の距離を短くし、通信の安定性を図り、配線の複雑化を防ぐことができる。より好ましくは、ＨＥＭＳ１９は、集線装置１１が収容されている通信機器収容部１２の内部に配置されるのが好ましい。ＨＥＭＳ１９を集線装置１１の近傍に配置できるとともに、上述のとおり、通信機器収容部１２はカバーで覆われているため美観の維持を図ることができる。また、ＨＥＭＳ１９、集線装置１１等が同一の場所に収容されていることによって、効率よくメンテナンス作業を行うことが可能となる。
【００５７】
また、ＨＥＭＳ１９は、ウェブサーバ機能を有し、ＬＡＮ上で接続されているウェブブラウザ又は専用のアプリケーションを有する表示装置１９１に対して各種情報の表示を行う。また、ＨＥＭＳ１９は、ＨＥＭＳ１９が生成した情報を、例えばクラウド上の別のサーバ及び表示用ウェブサーバに提供し、該別のウェブサーバ上の各種情報を、表示装置１９１を介して表示を行ってもよい。表示装置１９１はＨＥＭＳ１９専用の表示端末であってもよいし、汎用のＰＣ、スマートフォン等であってもよい。また、ＨＥＭＳ１９は、テレビ放送を受信するテレビ放送受信部、ラジオ放送を受信するラジオ放送受信部、及びテレビ放送やラジオ放送により受信した映像及び音声を記録する記録部、を備え、受信した映像を表示装置１９１に表示させてもよい。また、ＨＥＭＳ１９は、緊急地震速報を受信する緊急地震速報受信部、及び気象特別警報を受信する気象特別警報受信部を備えてもよい。
【００５８】
表示装置１９１は、取得部１９１ａと、出力部１９１ｂとを備える。取得部１９１ａは、ＨＥＭＳ１９が受信した住宅電力データを取得する。出力部１９１ｂは、取得部１９１ａが取得した住宅電力データを表示する。例えば、表示装置１９１は、図４（ａ）に例を示すようなトップ画面から「メニュー」アイコン４１が押下されることによって、図４（ｂ）に例を示すような画面に遷移する。また、「エアコン」アイコン５１、「照明」アイコン５２、「冷蔵庫」アイコン５３がそれぞれ押下されると、取得部１９１ａが家電・情報機器１８のうちのそれぞれエアコン、照明、冷蔵庫の使用状況データを取得し、出力部１９１ｂは、取得部１９１ａがが取得した使用状況データを表示する。
【００５９】
ただし、図４に示す文字列そのものは該機能をイメージ、連想させるロゴ、絵文字等に置き換えられ、文字列自体は表示されていない場合を含むことは言うまでもない。
【００６０】
また、「テレビ」アイコン４２が押下されると、取得部１９１ａは、ＨＥＭＳ１９がテレビ放送によって受信した情報を取得し、出力部１９１ｂは、取得した情報に含まれる映像を表示し、音声を出力する。また、「ラジオ」アイコン４３が押下されると、ＨＥＭＳ１９が受信したラジオ放送によって受信した情報を取得し、出力部１９１ｂは情報に含まれる音声を出力する。また、「再生」アイコン４４が押下されると、出力部１９１ｂは、ＨＥＭＳ１９によって記録されたテレビ放送の映像を表示し、音声を出力したり、ＨＥＭＳ１９によって記録されたラジオ放送の音声を出力したりする。
【００６１】
なお、これらのテレビ放送の映像の表示、音声の出力は、図４（ａ）に例を示す表示装置１９１のトップ画面から「テレビ」アイコン４２を押下することによって行われる。同様にして、ラジオ放送の音声の出力は、表示装置１９１のトップ画面から「ラジオ」アイコン４３を押下することによって行われる。また、テレビ放送の録画、ラジオ放送の録音の再生は、表示装置１９１のトップ画面から「再生」アイコン４４を押下することによって行われる。
【００６２】
また、取得部１９１ａは、サービス提供会社３によって送信された各種情報を、ＨＥＭＳ１９を介して取得し、出力部１９１ｂは、取得部１９１ａが取得した各種情報を表示する。そのため、表示装置１９１には、１つの操作でＨＥＭＳ１９を介してサービス提供サーバ３１へ各種情報を要求するためのショートカットアイコンが表示されていることが好ましい。図４（ｂ）に示される例では、「お知らせ」ショートカットアイコン５４が押下されることによって、取得部１９１ａは、ＨＥＭＳ１９を介してサービス提供サーバ３１から情報を取得し、出力部１９１ｂが取得された情報を表示する。また、「問合せ」ショートカットアイコン５５が押下されると、取得部１９１ａは、ＨＥＭＳ１９を介してサービス提供サーバ３１から問合せを入力するための画面を取得し、出力部１９１ｂは、取得された画面を表示する。この場合、ＨＥＭＳ１９は該画面に入力された問合せを表示装置１９１から取得してサービス提供会社３に送信する。なお、表示装置１９１が、該画面に入力された問合せをＨＥＭＳ１９に送信してもよい。
【００６３】
また、「設定」アイコン５６が押下されると、取得部１９１ａは、ＨＥＭＳ１９、及びＨＥＭＳ１９と連携する家電・情報機器１８に係る設定を行うための画面をＨＥＭＳ１９から取得し、出力部１９１ｂは、取得部１９１ｂが取得した画面を表示する。「トップ」アイコン５７が押下されると、取得部１９１ａ、図４（ａ）に示すトップ画面をＨＥＭＳ１９から取得し、出力部１９１ｂが取得された画面を表示する。
【００６４】
また、表示装置１９１は、表示装置１９１自体を起動させるための操作に次ぐ２つ以内のアクションで、サービス提供会社３のサービス提供サーバ３１へ各種情報を要求できるよう設計されているとよい。図４に示す例では、表示装置１９１を起動させると図４（ａ）に示すトップ画面が表示される。ユーザが１回目のアクションでトップ画面の「メニュー」ボタンを押下することによって、図４（ｂ）に示す画面に「お知らせ」ショートカットアイコン５４が表示されている。この状態において、ユーザが２回目のアクションで「お知らせ」ショートカットアイコン５４を押下することによって、サービス提供サーバ３１から情報が送信されて表示される。
【００６５】
また、上記の「お知らせ」ショートカットアイコン５４としてサービス提供会社３の商標、キャラクターを表す画像が利用されていることが好ましい。また、サービス提供会社３のポータルサイトへのショートカットアイコンである「ポータルサイト」ショートカットアイコン５８を用意することで、ポータルサイト内のサービスに含まれる「問い合わせ」や「お知らせ」を廃止することも可能であり、住人とサービス提供会社３との関係を密接にする効果が期待できる。
【００６６】
また、取得部１９１ａは、所定の間隔でＨＥＭＳ１９を介してサービス提供サーバ３１にお知らせ情報の取得を要求し、サービス提供サーバ３１にお知らせ情報がある場合には、当該お知らせ情報を取得する。出力部１９１ｂは、表示装置１９１上にアラートとして、またはポップアップにより表示する。お知らせとは、例えば、ＨＥＭＳ１９が取得した家電・情報機器１８の使用状況、修繕履歴等に基づくサービス提供サーバ３１によって作成された修繕、消耗部品の交換等の提案や、ＨＥＭＳ１９から受信した電力データに基づく電力契約プランの提案である。
【００６７】
また、取得部１９１ａは、テレビ放送及びラジオ放送による情報、緊急地震速報、気象特別警報等の情報を、ＨＥＭＳ１９を介して取得してもよい。この場合、出力部１９１ｂは、取得部１９１ａが取得した情報に含まれる映像を表示したり、音声を出力したりする。また、ＨＥＭＳ１９と表示装置１９１とは上述のＬＡＮを介して接続されるのではなく、直接的に接続されるのが好ましい。これにより、ＨＥＭＳ１９及び表示装置１９１のいずれかに何らかの不具合が発生した場合に、その不具合がどちらで発生したのかを切り分けて特定することが容易となる。
【００６８】
表示装置１９１は、表示装置１９１が有するメモリ、又は表示装置１９１の外部記憶メディアに記憶されている画像及び動画（ＨＥＭＳ１９に記憶されているものを含む）を所定の順に表示するデジタルフォトフレーム部を備えてもよい。
【００６９】
表示装置１９１は、ハンディテレビ、専用タブレット、汎用タブレット、スマートフォン、及びＰＣ（Personal Computer）のいずれによって実現されてもよい。表示装置１９１が、ハンディテレビや専用タブレットによって実現される場合、汎用タブレット、スマートフォン、ＰＣに比べて、サービス提供会社３の提供するサービスに特化したインターフェースを設けることができるため、サービス提供会社３にとっては、ポップアップ機能やアラート機能により自社サービスに関連した情報を通知したり、自社の物販サイトのみを表示させたりすることによってサービス提供の拡大を図ることが可能となる。
【００７０】
サービス提供会社３は、１つのサーバ又は複数のサーバ群からなるサービス提供サーバ３１を備える。サービス提供サーバ３１は、インターネット等の外部の通信ネットワークを介して、住宅１内のＨＥＭＳ１９と情報を送受信する。
【００７１】
サービス提供サーバ３１は、ウェブサーバとしての機能を有し、ウェブブラウザを有する情報通信機器等に各種情報を表示させる。この場合、ウェブブラウザを備える表示装置１９１の取得部１９１ａが、サービス提供サーバ３１から各種情報を取得し、出力部１９１ｂが各種情報を表示する。
【００７２】
サービス提供サーバ３１は、表示装置１９１から送信されたユーザアカウントに基づく認証を経たログイン状態においてのみ、サービスに関する画面を表示装置１９１に表示させるようにしてもよい。また、サービス提供サーバ３１は、ログイン状態においてのみ提供するお知らせを表示装置１９１に表示させるようにしてもよい。また、ログインに係るユーザアカウントのユーザごとに情報を表示させるようにしてもよい。
【００７３】
また、サービス提供サーバ３１は、インターネット等の外部の通信回線を介して、住宅電力データを住宅１のＨＥＭＳ１９から受信する。そして、サービス提供サーバ３１は、ＨＥＭＳ１９から受信した住宅電力データに基づいて電力契約プランの提案を作成し、表示装置１９１に表示させる。また、表示装置１９１のユーザの入力によって表示装置１９１から電力契約プランの詳細についての参照要求を受けた場合には、当該電力契約プランの説明や手続きへと導く表示を表示装置１９１に対して行う。
【００７４】
また、サービス提供サーバ３１は、インターネット等の外部の通信回線を介して、家電・情報機器１８に関する情報をＨＥＭＳ１９から受信する。そして、サービス提供サーバ３１は、ＨＥＭＳ１９から受信した家電・情報機器１８に関する情報に基づいて修繕、消耗部品の交換等の提案を作成し、表示装置１９１に表示させる。また、表示装置１９１のユーザによる入力によって表示装置１９１から修繕、消耗部品の交換の詳細についての参照要求を受けた場合には、物販サイトや修繕受付へと導く情報を表示装置１９１に対して表示させる。
【００７５】
サービス提供サーバ３１は、インターネット等の外部の通信回線を介して、家電・情報機器１８のうちの電子錠に関する情報をＨＥＭＳ１９から受信する。そして、サービス提供サーバ３１は、ＨＥＭＳ１９から受信した電子錠に関する情報に基づいて住宅１、又は該住宅１の敷地への人物の訪問又は侵入を示す情報を表示装置１９１に表示させる。
【００７６】
次に、上記のような構成による情報及びサービスの流れについて図５を参照して説明する。
【００７７】
図５に示すように、ＨＥＭＳ１９は、スマートメーター１０、分電盤計測ユニット１５、発電・蓄電制御ユニット１７、及び家電・情報機器１８からそれぞれＢルート電力データ、分電盤電力データ、発電・蓄電データ、及び使用状況データを含む住宅電力データを取得し、該住宅電力データをサービス提供サーバ３１に送信する。
【００７８】
また、サービス提供会社３は、サービス提供サーバ３１で受信された住宅電力データを電気事業者２に提供し、電気事業者２が住宅電力データに基づいて作成して電力プランをサービス提供会社３に提供する。また、サービス提供会社３は、上述のように住宅電力データに基づいて修繕、消耗部品の交換等の提案を作成する。さらに、サービス提供サーバ３１が、このようにして作成された電力プラン及び修繕、消耗部品の交換等の提案を表示装置１９１に表示させることができる。また、修繕、消耗部品の交換等の提案に基づいて、例えば、サービス提供会社３が利用者を訪問して修繕や交換を推奨することもできる。また、サービス提供会社３は、上述の分電盤電力データに基づいて、家電・情報機器１８の清掃、交換等を含むメンテナンスの提案を示すメンテナンス情報を提供することもできる。メンテナンス情報には、メンテナンスの提案とともに、該メンテナンスの請負サービスの提案を示す情報が含まれてもよい。
【００７９】
ここで、再び図１を参照して、分電盤電力データに基づく家電・情報機器１８のメンテナンス情報を住人に提供するためのサービス提供システム４について説明する。サービス提供システム４は、サービス提供サーバ３１、ＨＥＭＳ１９、及び表示装置１９１を備える。以降においては、家電・情報機器１８を単に「機器」という。また、以降において、機器はエアコンであるとして説明する。しかし、機器はこれに限られるものではなく、メンテナンス状況及び設置年数に応じて消費電力量が変化する任意の機器であってよい。
【００８０】
サービス提供サーバ３１は、通信部３１１と、記憶部３１２と、制御部３１３とを備える。
【００８１】
通信部３１１は、ＨＥＭＳ１９及び表示装置１９１と情報を送受信する。具体的には、通信部３１１は、ＨＥＭＳ１９から、エアコンに係る分岐回路から検出された電力量を示す分電盤電力データをエアコンの消費電力量データとして受信する。消費電力量データとは、例えば、単位時間あたりのエアコンによる消費電力量を示すデータであって、例えば、１日ごとの消費電量であってもよいし、１時間ごとの消費電力量であってもよいし、１分ごとの消費電力量であってもよい。また、通信部３１１は、後述するメンテナンス情報をＨＥＭＳ１９に送信する。
【００８２】
記憶部３１２は、各種情報を記憶するメモリである。記憶部３１２は、通信部３１１がＨＥＭＳ１９から受信した消費電力量データを記憶する。記憶部３１２は、単位時間ごと、例えば１日ごと、１時間ごと、１分ごとの消費電力量データを記憶する。また、記憶部３１２は、エアコンのメンテナンスに関するキャンペーン情報を記憶してもよい。キャンペーン情報とは、特定の期間にエアコンの清掃、下取り、交換等のメンテナンスが安価に提供されたり、メンテナンスの提供を受けることによって特典が付与されたりするキャンペーンが実施されていることを示す情報である。
【００８３】
制御部３１３は、記憶部３１２に記憶されている、所定の期間の消費電力量データを抽出する。所定の期間は、例えば、各月とすることができる。また、所定の期間は、例えば、エアコンについての消費電力量の多い夏季に含まれる７月から９月、あるいは冬季に含まれる１２月から２月までとしてもよい。
【００８４】
そして、制御部３１３は、消費電力量データに基づいて、エアコンのメンテナンス情報を生成する。具体的には、制御部３１３は、消費電力量データが示す、エアコンの設置年における所定期間の第１の消費電力量と、機器の直近の所定期間の第２の消費電力量とに基づいてメンテナンス情報を生成する。
【００８５】
さらに具体的には、制御部３１３は、第１の消費電力量に対する第２の消費電力量の増加率を算出する。制御部３１３は、この方法に限られず、エアコンを設置したときからの消費電力量の変化を示す任意の値を消費電力量の増加率として算出してもよい。
【００８６】
そして、制御部３１３は、消費電力量の増加率に基づいて、通信部３１１がメンテナンス情報を生成する。例えば、制御部３１３は、消費電力量の増加率が増加率閾値以上であるか否かを判定する。増加率閾値は、一般にエアコンを清掃することが望ましいとされる程度の増加率であり、例えば、１０％である。また、増加率閾値は、エアコンを清掃することがより望ましいとされる程度の増加率である２０％であってもよい。そして、制御部３１３は、増加率が増加率閾値以上である場合に、メンテナンス情報を生成する。
【００８７】
また、制御部３１３は、さらにエアコンの設置年数に基づいてメンテナンス情報の内容を決定してもよい。
【００８８】
具体的には、制御部３１３は、設置年数が設置年閾値以上であるか否かを判定する。設置年閾値とは、例えば、５年である。そして、制御部３１３は、消費電力量の増加率が増加率閾値以上であると判定し、かつ設置年数が設置年閾値未満であると判定した場合、エアコン清掃サービスを提案するメンテナンス情報を生成する。制御部３１３は、消費電力量の増加率が増加率閾値以上であると判定し、かつ設置年数が設置年閾値以上であると判定した場合、フィルター掃除機能付きエアコンに交換する提案を示すメンテナンス情報を生成する。
【００８９】
また、制御部３１３は、キャンペーン情報に基づいてメンテナンス情報を生成してもよい。具体的には、制御部３１３は、記憶部３１２に記憶されているキャンペーン情報にエアコンの下取りキャンペーンが含まれている場合、エアコンの設置年数が上述の設置年閾値（第１の設置年閾値）より短い第２の設置年閾値以上であるか否かを判定する。制御部３１３は、設置年数が第２の設置年閾値以上である場合、通信部３１１がエアコンの交換を提案するメンテナンス情報を生成する。
【００９０】
また、制御部３１３は、外部要因情報に基づいてメンテナンス情報を生成してもよい。外部要因情報とは、例えば、設定温度、環境温度である。環境温度とは、エアコンが設置されている環境の温度である。この場合、ＨＥＭＳ１９は、エアコンの動作開始時における設定温度及び環境温度を示す温度データと、該設定温度で動作したときの消費電力量データとをサービス提供サーバ３１に送信する。そして、制御部３１３は、エアコンの設置年における、環境温度が設定温度になるまでのエアコンでの消費電力量と、現在の、環境温度が設定温度になるまでの消費電力量とに基づいてメンテナンス情報を生成する。また、制御部３１３は、設置年にエアコンが該エアコンの設置環境を設定温度に維持するための消費電力量と、現在、設置環境を設定温度に維持するための消費電力量とに基づいてメンテナンス情報を生成してもよい。
【００９１】
また、制御部３１３は、設置機器情報に基づいてメンテナンス情報を生成してもよい。この場合、ＨＥＭＳ１９は、エアコンが設置されている室温に影響を与える機器（該エアコンとは異なる冷暖房機器、発熱量の大きいオーディオ機器等）の消費電力量データをサービス提供サーバ３１に送信する。そして、制御部３１３は、上述のように算出した消費電力量の増加率を、室温に影響を与える機器の消費電力量を用いて補正した消費電力量の増加率に基づいてメンテナンス情報を生成する。
【００９２】
また、制御部３１３は、住人情報に基づいて、通信部３１１がメンテナンス情報を表示装置１９１に送信するよう制御してもよい。住人情報は、エアコンの消費電力量に影響を与える、住宅１の住人についての情報である。住人情報は、例えば、住宅１の住人数、住人の特性（設定温度、窓の開閉傾向）である。この場合、制御部３１３は、住人情報の変化に応じて補正した増加率に基づいて、メンテナンス情報を生成してもよい。また、制御部３１３は、消費電力量の増加率に基づいて、住人情報を推定してもよい。
【００９３】
さらに、制御部３１３は、通信部３１１が、該制御部３１３によって生成されたメンテナンス情報をＨＥＭＳ１９を介して表示装置１９１に対して送信するよう制御する。
【００９４】
また、住宅１の販売会社が、上記のサービスを住宅１或いは住人に対し提供していると認識させることが好ましい（サービス提供会社への外注、又は内製サービスを含む）。そのようにすることで、住宅１の販売会社は、住宅１のみを販売するのではなく、その後の暮らしや生活のサポートなどをトータルでサポートできるビジネスを確立可能であり、住人から見ても住宅１を販売したのちも継続する多くのサービス群により大きな満足を得ることが可能となる。
【００９５】
以上のように、本実施形態では、サービス提供サーバ３１の制御部３１３は、エアコンについての消費電力量データに基づいて、エアコンのメンテナンス情報を生成し、通信部３１１がメンテナンス情報を表示装置１９１に送信するよう制御する。そして、表示装置１９１の取得部１９１ａがメンテナンス情報を取得し、表示部１９１ｂが取得されたメンテナンス情報を表示する。そのため、住人は、消費電力量に基づいてエアコンを清掃したり、交換したりするといったメンテナンスを行うことができ、これによりエアコンの消費電力量を抑制することができる。
【００９６】
また、本実施形態では、制御部３１３は、消費電力量データが示す、エアコンの設置年における所定期間の第１の消費電力量と、エアコンの直近の所定期間の第２の消費電力量とに基づいてメンテナンス情報を生成する。このため、制御部３１３は、エアコン設置時の消費電力量と、直近の消費電力量とを比較して、通信部３１１がメンテナンス情報を表示装置１９１に送信するよう制御することができる。したがって、住人は、設置時のエアコンの状態、すなわち、汚れや性能劣化がない状態に近づけるようなメンテナンスを適切に行うことができ、これによりエアコンの消費電力量をより適切に抑制することができる。
【００９７】
また、本実施形態では、制御部３１３は、第１の消費電力量に対する第２の消費電力量の増加率が増加率閾値以上である場合に通信部３１１がメンテナンス情報を表示装置１９１に送信するよう制御する。このため、住人は、消費電力量データの変化率に基づいて、より正確な時期にエアコンをメンテナンスすることができ、これによりエアコンの消費電力量を抑制することができる。
【００９８】
また、本実施形態では、制御部３１３は、エアコンの消費電力と設置年数とに基づいてメンテナンス情報を生成する。このため、住人は、適切なメンテナンス方法を知ることができる。具体的には、エアコンを清掃するべきなのか交換すべきなのかを把握し、適切なメンテナンス方法を採用することによってエアコンの消費電力量を抑制することができる。
【００９９】
また、本実施形態では、制御部３１３は、設定温度及び環境温度に基づいてメンテナンス情報を送信させる。このため、制御部３１３は、環境温度に大きな変動があったり、住人の体感温度特性に変動に伴う設定温度の変動があったりした場合にも、このような変動に影響されることなく、エアコンそのものの汚れ及び性能劣化に起因するメンテナンス情報を正確に送信することができる。したがって、住人は、環境温度及び体感温度特性の変動によらず適切にエアコンをメンテナンスすることができ、エアコンの消費電力量を抑制することができる。
【０１００】
上述の実施形態及び実施例は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態及び実施例に記載の複数の構成ブロックを１つに組み合わせたり、あるいは１つの構成ブロックを分割したりすることが可能である。また、サービス提供サーバの機能は住宅外部に存在することに限定されているわけではなくＨＥＭＳ１９又は表示装置１９１、その他の宅内機器にその機能の全てまたは一部含まれていてもよい。
【符号の説明】
【０１０１】
１        住宅
２        電気事業者
３        サービス提供会社
４        サービス提供システム
１０      スマートメーター
１１      集線装置
１２      通信機器収容部
１３      Ｂルート受信可能装置
１４      分電盤
１５      分電盤計測ユニット
１６      発電・蓄電機器
１７      発電・蓄電制御ユニット
１８      家電・情報機器
１９      ＨＥＭＳ
２１      電気事業者サーバ
３１      サービス提供サーバ
１１１    通信ケーブル
１１２    電源ケーブル
１１３    電源供給手段
１２１    テレビ伝送ケーブル
１２２    電話配線
１２３    テレビ放送信号用分配器
１２４    テレビ信号増幅装置（ブースター）
１２５    電話端子板
１２６    テレビ端子向けケーブル
１２７    電話端子向けケーブル
１５１    センサー部
１５２    送信部
１６１    発電部
１６２    蓄電部
１７１    制御部
１７２    送信部
１９１    表示装置
１９１ａ  取得部
１９１ｂ  表示部
３１１    通信部
３１２    記憶部
３１３    制御部
【図１】
2018116548.tif 000003
【図２】
2018116548.tif 000004
【図３】
2018116548.tif 000005
【図４】
2018116548.tif 000006
【図５】
2018116548.tif 000007